(57)【要約】【課題】複数のエレベータカゴが連結されて同時に運転するエレベータにおいて、乗込階においては、エレベータカゴが横一列に整列され、利用者が複数の行先階を選択可能にする。【解決手段】複数のエレベータカゴが横一列に並べてあり、各エレベータカゴＡ１−Ａ５は上下の連結バー２１、２２に回転可能に固定してある。上連結バー２１は、各エレベータカゴＡ１−Ａ５の上部の角に回転可能に固定され、下連結バー２２は上部連結バー２１の固定位置の対角位置に固定してある。端部のエレベータカゴＡ１の姿勢を水平に規制すると、連結バー回転可能に取り付けてあるエレベータカゴＡ２−Ａ５も水平に維持される。利用者は、乗込階Ｆにおいて複数の行き先階を選択することができ、ダブルデッキエレベータの不便さが解消される。また、横一列の連結エレベータカゴ１０を縦一列に移行させて上昇させるので、効率よくエレベータを運行することができる。【選択図】図１
2017100826.tif 000002
【特許請求の範囲】
【請求項１】
複数のエレベータカゴが一列に並べてあり、各エレベータカゴは、上下の連結バーに回転可能に固定してあり、上連結バーは、各エレベータカゴの上部の角に固定されており、下連結バーは上部連結バーが固定されている対角位置に回転可能に固定してあり、連結バーの角度に関わらず各エレベータカゴを水平状態に維持することが可能である連結エレベータカゴ。
【請求項２】
請求項１において、いずれか一方の端部に位置するエレベータカゴの背面にエレベータカゴの姿勢を規制するためのガイド体が設けてある連結エレベータカゴ。
【請求項３】
請求項２記載の連結エレベータカゴを運行するエレベータシステムであって、縦列状態の連結エレベータカゴが上昇下降する２つの空間が並列してあり、この２つの空間には連結エレベータカゴの背面に設けたガイド体を収容するガイドレールが設置してあり、連結エレベータカゴが横列状態となる乗込階の下側に前記２つの空間に連絡し、連結エレベータカゴの列の方向を縦または横に移行するための移行空間が設けてあり、２つの空間の上部には連絡路が設けてあり、連結エレベータカゴを昇降及び縦横に移行させるエンドレスの駆動体が設けてあり、移行空間には、縦列の連結エレベータカゴを横列に移行させるための補助駆動装置が設けてあるエレベータシステム。
【請求項４】
請求項２記載の連結エレベータカゴを運行するエレベータシステムであって、縦列状態の連結エレベータカゴが上昇下降する空間、この空間には連結エレベータカゴの背面に設けたガイド体を収容するガイドレールが設置してあり、エレベータカゴが上昇下降する空間の基部の連結エレベータカゴが横列状態となる乗込階の下側に連結エレベータカゴの列の方向を縦または横に移行するための移行空間が設けてあり、連結エレベータカゴを昇降及び縦列、または横列に移行させる駆動装置が設けてあるエレベータシステム。
【請求項５】
請求項２記載の連結エレベータカゴを運行するエレベータシステムであって、縦列状態の連結エレベータカゴが上昇下降する２つの空間が並列してあり、この２つの空間には連結エレベータカゴの背面に設けたガイド体を収容するガイドレールが設置してあり、連結エレベータカゴが横列状態となる乗込階の下側に連結エレベータカゴの列の方向を縦または横に移行するための移行空間が設けてあり、連結エレベータカゴを昇降及び縦横に移行させる駆動装置が設けてあり、一方の連結エレベータカゴが乗込階において横列で停止しているとき、他方の連結エレベータカゴは縦列で最上階で停止するエレベータシステム。
【発明の詳細な説明】
【技術分野】
【０００１】
本発明は、複数のエレベータカゴを連結して同時に複数のエレベータカゴを上昇、下降させる連結エレベータカゴ及び連結エレベータカゴを使用したエレベータシステムに関する。
【背景技術】
【０００２】
高層大型ビルのエレベータシステムでは、目的の階に到達するのに要する時間を短縮するため、行き先階を低層、中層、高層などのいくつかにバンク分けすることがおこなわれている。そのため、多数のエレベータシャフトが必要となり、平面計画においてエレベータシャフトが占める面積が大きくなり、工事費もかさむものとなっていた。
従来のエレベータシステムでは、１つのエレベータシャフトに１台のエレベータカゴが昇降して利用者を目的階に運ぶものであり、輸送能力が限られていた。輸送能力をあげるものとして、図８に例示するエレベータのカゴを上下に連結したダブルデッキエレベータが知られており、１台分の平面面積の輸送能力は通常のエレベータに比較して概略２倍が見込まれ、スペース効率や運転効率の両面で大きな力を発揮するものと期待されている。
しかし、２つのエレベータカゴが常に上下の位置関係であるため、乗降場所が上下２階に分かれており、目的階に到達するためには、乗ろうとするエレベータカゴが目的階で停止するかを確認する必要があり、また、乗り場階に停止しているエレベータカゴが目的の階に停止しない場合、階を移動しなければならず不便であった。
【先行技術文献】
【特許文献】
【０００３】
【特許文献１】特開平５−２６２４７９号公報
【特許文献２】特許第２７３２７２２号公報
【特許文献３】特許第５６４６０４７号公報
【発明の概要】
【発明が解決しようとする課題】
【０００４】
ダブルデッキエレベータシステムでは、乗降階が上下２階に分かれることから、目的の階の乗り場を間違えると、別の乗り場階に移動しなければならずエレベータに乗り込むのに余計な時間を消費することになる。
そこで、本発明は、複数のエレベータカゴが連結されて同時に運転されるものでありながら、ビルのエントランスなどの乗込階においては、エレベータカゴが横一列に整列できるようにし、同じ乗り場階から乗降することができるようにするものである。
【課題を解決するための手段】
【０００５】
複数のエレベータカゴが一列に並べてあり、各エレベータカゴは、上下の連結バーに回転可能に固定してあり、上連結バーは、各エレベータカゴの上部の角に固定されており、下連結バーは上部連結バーが固定されている対角位置に回転可能に固定してあり、連結バーの角度に関わらず各エレベータカゴを水平状態に維持することが可能である連結エレベータカゴである。
【０００６】
前記の連結エレベータカゴが走行するエレベータシステムであって、縦列状態の連結エレベータカゴが上昇下降する空間、この空間には連結エレベータカゴの背面に設けたガイド体を収容するガイドレールが設置してあり、連結エレベータカゴが横列状態となる乗込階の下側に連結エレベータカゴの列の方向を縦または横に移行するための移行空間が設けてあり、連結エレベータカゴを昇降及び縦横に移行させる駆動装置が設けてある連結エレベータカゴを運行するエレベータシステムである。
また、同様に、縦列状態の連結エレベータカゴが上昇下降する２つの空間、この２つの空間には連結エレベータカゴの背面に設けたガイド体を収容するガイドレールが設置してあり、連結エレベータカゴが横列状態となる乗込階の下側に連結エレベータカゴの列の方向を縦または横に移行するための移行空間が設けてあり、連結エレベータカゴを昇降及び縦横に移行させる駆動装置が設けてあり、一方の連結エレベータカゴが乗込階において横で停止しているとき、他方の連結エレベータカゴは縦列で最上階で停止するように連結エレベータカゴを運行するエレベータシステムである。
【発明の効果】
【０００７】
ビルのエントランス等のエレベータへの乗込階においては、連結エレベータカゴであるのでエレベータカゴを水平状態で横一列に並べることができ、利用者は、一つのエレベータホールから複数の目的階のエレベータカゴに乗込むことが可能であり、また、乗込階において複数の行き先階へのエレベータカゴを選択することができ、公知のダブルデッキエレベータシステムに比較して利用者のストレスを減少させることができるとともに、利用者を効率よく目的階に搬送することができ、待ち時間が短縮される。
【図面の簡単な説明】
【０００８】
【図１】本発明の連結エレベータカゴの基本概念図。
【図２】連結エレベータカゴの姿勢維持装置の一例を示す平面図及び側面図。
【図３】連結エレベータカゴの姿勢維持装置の他の例を示す平面図及び側面図。
【図４】連結エレベータカゴを使用したエンドレス駆動体を使用したエレベータシステムの一例を示す概念図。
【図５】連結エレベータカゴを横列から縦列に移行させるエレベータシステムの他の例の概念図。
【図６】連結エレベータカゴを横列から縦列に移行させるエレベータシステムの他の例の概念図。
【図７】２つの連結エレベータカゴを運行させるエレベータシステムの概念図。
【図８】公知のダブルデッキエレベータの概念図。
【発明を実施するための形態】
【０００９】
図１に示すように、連結エレベータカゴ１０は、複数のエレベータカゴ１（Ａ１・・・Ａ５）を間隔を空けて並列させ、各エレベータカゴＡ１・・・Ａ５を上下の連結バー２１、２２で連結したものである。各エレベータカゴＡ１・・・Ａ５は、上下の連結バー２１、２２にピン３等で回転可能に取り付けられている。
図１（１）は、エレベータカゴＡ１・・・Ａ５が横一列の状態であり、建物のエントランス階などの乗込階Ｆにおいてはこの横一列の状態で利用者が行き先階に応じてエレベータカゴＡ１・・・Ａ５に同時に乗込み可能である。
【００１０】
各エレベータカゴＡ１・・・Ａ５の左上角が、上連結バー２１にピン３等で回転可能に取り付けてあり、左上角の対角位置のエレベータカゴＡ１・・・Ａ５の右下角が下連結バー２２に同様に回転可能に取り付けてある。この上下の連結バー２１、２２は、エレベータカゴＡ１・・・Ａ５の表側もしくは裏側のどちらかに設ける。上下の連結バー２１、２２をエレベータカゴの表裏両面に設けることによって上下の連結バー２１、２２が傾斜した状態などにおいてエレベータカゴゴＡ１・・・Ａ５の安定性を高めることができる。
【００１１】
連結エレベータカゴ１０は、図１（１）の横一列の状態で、両端のエレベータカゴＡ1、Ａ５がロープや駆動ベルト等吊り下げられて保持されている。この連結エレベータカゴ１０を上昇、下降させるためには縦一列に連結エレベータカゴの配列を移行させる必要がある。連結エレベータカゴ１０の横一列と縦一列の中間状態を図１（２）に示す。右端のエレベータカゴＡ１が鉛直上方向に引き上げられて上昇し、その他のエレベータカゴＡ２・・・Ａ５は連結バー２１、２２によってエレベータカゴＡ１の上下連結バー２１、２２の固定点３を軸として回転し、上下連結バー２１、２２が斜めとなるが、エレベータカゴＡ２・・・Ａ５の水平は維持される。
図１（３）に示すように、上下の連結バー２１、２２が９０度回転すると、連結エレベータカゴ１０は、各エレベータカゴＡ１・・・Ａ５が縦一列に配列された状態となる。
【００１２】
エレベータカゴＡ１・・・Ａ５が横一列から縦一列に移行する過程において、各エレベータカゴＡ１・・・Ａ５はそれぞれのカゴの対角位置において上下の連結バー２１、２２に回転可能に取り付けてあり、上下の連結バー２１、２２が傾斜した状態であっても、右端のエレベータカゴが水平に維持されていれば、その他のエレベータカゴも水平に維持されることになる。
【００１３】
連結エレベータカゴ１０の各エレベータカゴＡ１・・・Ａ５は、図２に示すように従来のエレベータカゴと同様に箱体であり、端部のエレベータカゴＡ１の背面中央には、エレベータカゴＡ１を水平に維持するための鉛直に延びるガイド部材１１が固定してある。このガイド部材１１の断面は矩形、円形、または楕円形でもよく、断面形状は限定されない。このガイド部材１１はエレベータが上下動する空間４の壁面４２に設けられたガイド部材１１の断面と同じ空間を有するガイドレール５に嵌合され、エレベータカゴＡ１の姿勢はガイドレール５によって規制された状態で上昇、下降する。ガイド部材１１が設けられた端部のエレベータカゴＡ１は、その姿勢が規制されるので傾斜することなく常にエレベータカゴＡ１の床面が水平状態に維持され、上下の連結バー２１、２２で相互に連結されている他のエレベータカゴＡ２〜Ａ５も同様に水平に維持される。
【００１４】
図３に示す他のエレベータカゴ姿勢維持装置は、エレベータカゴ１の背面側の上部の両側にガイド部材１１が設けてあり、このガイド部材１１を収容可能な平行なガイドレール５、５が空間４の壁面４２に固定してある。２つのガイド部材１１がガイドレール５に嵌合させてあり、エレベータカゴ１は水平に維持されているので、エレベータカゴＡ１は水平に維持され、上下の連結バー２１、２２で連結一体化されている他のエレベータカゴＡ２・・・Ａ５も同様に水平に維持される。
【００１５】
ガイド部材１１とガイドレール５の接触面に摩擦力が発生し、連結エレベータカゴ１０の円滑な移動を妨げる恐れがあるので、摩擦力を減少させるためにガイド部材１１を低摩擦係数の材料とするか、または、低摩擦係数の材料の被覆を設けるなどする。
ガイドレール５またはガイド部材１１にローラー（図示しない）を設置し、ガイド部材１１に作用する摩擦力を軽減することも可能である。
【００１６】
連結エレベータカゴ１０を運行させるエレベータシステムについて以下に説明する。
＜エレベータシステム１＞
図４に示すように、エレベータカゴＡ１・・・Ａ５からなる連結エレベータカゴ１０が上昇、下降する平行な移動空間４Ａ、４Ｂと連結エレベータカゴ１０を横列から縦列に移行させる移行空間４１が、乗込階Ｆの下側に設けてあり、移動空間４Ａ、４Ｂの上部には、エンドレスの駆動体６を通すと共に、駆動体６を駆動する駆動源のモータＭを設置する連絡路４Ｃが設けてある。
また、乗込階Ｆにおいては、連結エレベータカゴ１０ＡのエレベータカゴＡ１・・・Ａ５は、横一列となっており、利用者は希望の行き先階のエレベータカゴＡ１・・・Ａ５を選択して乗込む。図で右端のエレベータカゴＡ１が最上階のｎ階に行くとすると、Ａ２は（ｎ−１）階に停止する。
【００１７】
この連結エレベータカゴ１０Ａを上昇、下降させると共に横列の姿勢から縦列に移行させるための駆動源となるベルトやチェーン等からなるエンドレスの駆動体６が移動空間４Ａ、４Ｂと移行空間４１に設けたガイドレール５に沿って配設してあり、このエンドレスの駆動体６に駆動力を与える駆動源であるモータＭは、移動空間４Ａ、４Ｂの上部に設けてある連絡路４Ｃに設置してある。
駆動体６は連結エレベータカゴ１０Ａの左端のエレベータカゴＡ５に連結してある。駆動体６のエレベータカゴＡ５への連結部は、従来のエレベータシステムと異なり、上下方向のみでなく、連結エレベータカゴ１０を横列から縦列に変換させる必要があるため、駆動体６がエレベータカゴに力を伝える方向（引張方向）が自在となるように回転自在としてある。
【００１８】
連結エレベータカゴ１０Ａの移動方向をガイドするガイドレール５にはエレベータカゴＡ１に設けてあるガイド体（図示しない）が嵌合されており、連結エレベータカゴ１０は、ガイドレール５に沿って上下動する。
駆動体６は乗込階Ｆの下部においては、半円形のガイドレール５Ａ内を走行するか、間隔をあけて曲線状に配置したローラガイド（図示しない）でガイドさせるか、ガイドレール５Ａ内には間隔をおいてプーリ（図示しない）が設置してあって駆動体６の曲線走行をガイドする。一部のプーリをテンションプーリとし、連結エレベータカゴ１０が横列から縦列に移行する際に駆動体６の余剰長さを吸収させる。
【００１９】
駆動体６によって連結エレベータカゴ１０Ａを上昇方向に引き上げると、駆動体６はエンドレスであるので、他方の連結エレベータカゴ１０Ｂは下降を始める。
連結エレベータカゴ１０Ａの右端のエレベータカゴＡ１が最上階に達したときに、他方の連結エレベータカゴ１０Ｂの一番下のエレベータカゴＢ５が乗り込み階Ｆで水平となる。
【００２０】
連結エレベータカゴ１０Ａ、１０Ｂの各エレベータカゴは、上下の連結バー２１、２２で一体化されており、駆動体６によって一体で上昇、下降するものである。乗込階Ｆにおける連結エレベータカゴ１０Ａは、横列状態であり、徐々に縦列状態に移行してゆき、縦一列となって上昇して目的階に達する。利用者は、乗込階Ｆで選択したエレベータカゴが到達した階においてエレベータを降りる。
横列から縦列に移行する途中においては、各エレベータカゴは、水平状態に維持された状態で利用者が不快に感じる加速度を感知しないように緩やかにおこなう。
駆動体６が循環移動するので、２つの連結エレベータカゴ１０Ａ、１０Ｂが同時に運転され、一方が上昇するときに他方が下降するので効率的に利用者を目的に運ぶことができる。
【００２１】
＜エレベータシステム２＞
図５（１）〜（３）に示すように、連結エレベータカゴ１０が上昇、下降する移動空間４と連結エレベータカゴ１０を横列から縦列に移行させる移行空間４１が乗込階Ｆの下部に設けてある。
図５（１）は、連結エレベータカゴ１０の各エレベータカゴＡ１〜Ａ５が１階エレベータホールなどの乗込階Ｆにおいて横一列で停止している状態を示しており、利用者は、すべてのエレベータカゴＡ１・・・Ａ５に同時に乗降可能である。
【００２２】
右端のエレベータカゴＡ１には、ガイド部材１１が設けてあり、このガイド部材１１と壁面４２に設けたガイドレール５によってエレベータカゴＡ１の姿勢が規制されるのでエレベータカゴＡ１は水平状態で上昇、下降する。
連結エレベータカゴ１０を上昇、下降させるためのロープやベルトなどの駆動体６１がガイド部材１１に連結してあり、連結エレベータカゴ１０を上昇、下降させる。駆動体６１は、ロープやベルトの他にチェーンを採用することができる。
【００２３】
連結エレベータカゴ１０の左端のエレベータカゴＡ５の下部にはロープやベルトからなる駆動体６２が連結具５４を介して連結してある。連結具５４に連結された駆動体６２は、連結エレベータカゴ１０が水平の状態においてはエレベータカゴＡ５が降下しないように図示しないドラム等に巻きまわされてドラムがロックされているので、連結エレベータカゴ１０は水平に保持されている。
連結エレベータカゴ１０が上昇を開始すると駆動体６２のロックが解除されてエレベータカゴＡ５の動きに合わせてドラムから繰り出されていく。
連結エレベータカゴ１０が上の階から乗込階Ｆに下降する際は、下降に同期させて駆動体６２が引上げられて巻取りがおこなわれる。右端のエレベータカゴＡ１が乗込階Ｆに達すると、駆動体６２は、左端のエレベータカゴＡ５が引き上げられて縦列状態の連結エレベータカゴ１０は横列に変換される。
【００２４】
連結エレベータカゴ１０の各エレベータカゴＡ１・・・Ａ５は、上下の連結バー２１、２２で一体化されており、駆動体６１、６２によって一体で上昇、下降するものである。乗込階Ｆにおける連結エレベータカゴ１０は、横列状態であり、徐々に縦列状態に移行してゆき、縦一列となって上昇して目的階に達する。利用者は、乗込階Ｆで選択したエレベータカゴが到達した階においてエレベータを降りる。
横列から縦列に移行する途中においては、各エレベータカゴＡ１〜Ａ５は、水平状態に維持された状態で利用者が不快に感じる加速度を感知しないように緩やかにおこなう。
【００２５】
横列から縦列に、また、その逆の縦列から横列に移行させる場合、図６に示すように、右端のエレベータカゴＡ１を上昇させずに停止状態としておき、左端のエレベータカゴＡ５に連結されている駆動体６２を下降させ、上下の連結バー２１、２２をエレベータカゴＡ５の固定点３を軸に回転させることによって連結エレベータカゴ１０を縦列に移行させ、連結エレベータカゴ１０を上昇させる駆動体６１を稼働させて連結エレベータカゴ１０を上昇させる運転形態とすることも可能である。
この時、駆動体６２をガイドローラやプーリ等によって円形などの曲線状となるようにするのが好ましい。
【００２６】
上部階から連結エレベータカゴ１０が下降する場合は、縦列の連結エレベータカゴ１０の最上部のエレベータカゴＡ１が乗込階Ｆに達したところで停止させ、駆動体６２を作動させて左端のエレベータカゴＡ５を引き上げることによって横列から縦列に移行させた時とは逆に縦列状態の連結エレベータカゴ１０を横列状態に移行させ、各エレベータカゴＡ１・・・Ａ５の扉を開けて利用者がエレベータカゴから降りることができるようにする。
乗込階Ｆにおける連結エレベータカゴ１０の停止状態を安定させるために、ストッパーがエレベータカゴの下側に突出するようにしてもよい。
【００２７】
＜エレベータシステム３＞
図７に示すエレベータシステムは、２つの連結エレベータカゴ１０Ａ、１０Ｂを交互に昇降させるものであり、連結エレベータカゴが昇降する通路空間が平行に設けてある。
一方の連結エレベータカゴ１０Ａが乗込階Ｆにおいて横列状態のとき、他方の連結エレベータカゴ１０Ｂは、縦列状態で最上部に位置している。
横列から縦列に移行した連結エレベータカゴ１０Ａの上昇に同期して連結エレベータカゴ１０Ｂが下降し、乗込階Ｆに到達した連結エレベータカゴ１０Ｂを縦列から横列に移行させる。
乗込階Ｆにおいて連結エレベータカゴ１０Ａの右端に位置するエレベータカゴＡ５が上昇して最上階に到達するが、他方の連結エレベータカゴ１０Ｂの右端のエレベータカゴＢ１は最上階には到達せず、左端のエレベータカゴＢ５が最上階に到達することになり、利用する連結エレベータカゴ１０Ａ、１０Ｂのどちらが乗込階Ｆ到達しているかによって、最上階に到達するエレベータカゴが右端、または左端に変わるので、利用者にどちらの連結エレベータカゴ１０Ａ、１０Ｂが乗込階Ｆに呈しているのかを利用者に自動的に伝達する手段をエレベータシステムに具備させるのが好ましい。
【符号の説明】
【００２８】
１    （Ａ１...Ａ５、Ｂ１...Ｂ５）  エレベータカゴ
１０          連結エレベータカゴ
１１          ガイド体
２１          上部連結バー
２２          下部連結バー
３            ピン（固定点）
４            エレベータカゴ昇降空間
４１Ａ        エレベータカゴ昇降空間
４１Ｂ        エレベータカゴ昇降空間
５            ガイドレール 
６、６１、６２  駆動体
Ｆ              乗込階
Ｍ              駆動源                 
【図１】
2017100826.tif 000003
【図２】
2017100826.tif 000004
【図３】
2017100826.tif 000005
【図４】
2017100826.tif 000006
【図５】
2017100826.tif 000007
【図６】
2017100826.tif 000008
【図７】
2017100826.tif 000009
【図８】
2017100826.tif 000010
【手続補正書】
【提出日】平成28年11月25日(2016.11.25)
【手続補正１】
【補正対象書類名】特許請求の範囲
【補正対象項目名】全文
【補正方法】変更
【補正の内容】
【特許請求の範囲】
【請求項１】
３台以上の複数のエレベータカゴが上下それぞれ一つの連続した部材の連結バーに回転可能に固定してあり、上連結バーは、各エレベータカゴの上部の角に固定されており、下連結バーは上部連結バーが固定されている対角位置に回転可能に固定してあり、いずれか一方の端部に位置するエレベータカゴの背面にエレベータカゴの姿勢を規制するためのガイド体が設けてあり、連結バーの角度に関わらず各エレベータカゴを水平状態に維持することが可能である連結エレベータカゴ。
【請求項２】
請求項１記載の連結エレベータカゴを運行するエレベータシステムであって、縦列状態の連結エレベータカゴが上昇下降する空間が並列してあり、この２つの空間には連結エレベータカゴの背面に設けたガイド体を収容するガイドレールが設置してあり、連結エレベータカゴが横列状態となる乗込階の下側に前記２つの空間に連絡し、連結エレベータカゴの列の方向を縦または横に移行するための移行空間が設けてあり、２つの空間の上部には連絡路が設けてあり、連結エレベータカゴを昇降及び縦横に移行させるエンドレスの駆動体が設けてあり、移行空間には、縦列の連結エレベータカゴを横列に移行させるための駆動装置が設けてあるエレベータシステム。
【請求項３】
請求項１記載の連結エレベータカゴを運行するエレベータシステムであって、縦列状態の連結エレベータカゴが上昇下降する空間、この空間には連結エレベータカゴの背面に設けたガイド体を収容するガイドレールが設置してあり、エレベータカゴが上昇下降する空間の基部の連結エレベータカゴが横列状態となる乗込階の下側に連結エレベータカゴの列の方向を縦または横に移行するための移行空間が設けてあり、連結エレベータカゴを昇降及び縦列、または横列に移行させる駆動装置が設けてあるエレベータシステム。
【請求項４】
請求項１記載の連結エレベータカゴを運行するエレベータシステムであって、縦列状態の連結エレベータカゴが上昇下降する２つの空間が並列してあり、この２つの空間には連結エレベータカゴの背面に設けたガイド体を収容するガイドレールが設置してあり、連結エレベータカゴが横列状態となる乗込階の下側に連結エレベータカゴの列の方向を縦または横に移行するための移行空間が設けてあり、連結エレベータカゴを昇降及び縦横に移行させる駆動装置が設けてあり、一方の連結エレベータカゴが乗込階において横列で停止しているとき、他方の連結エレベータカゴは縦列で最上階で停止するエレベータシステム。
【手続補正２】
【補正対象書類名】明細書
【補正対象項目名】００１１
【補正方法】変更
【補正の内容】
【００１１】
連結エレベータカゴ１０は、図１（１）の横一列の状態で、両端のエレベータカゴＡ１、Ａ５がロープや駆動ベルト等で吊り下げられて保持されている。この連結エレベータカゴ１０を上昇、下降させるためには縦一列に連結エレベータカゴの配列を移行させる必要がある。連結エレベータカゴ１０の横一列と縦一列の中間状態を図１（２）に示す。右端のエレベータカゴＡ１が鉛直上方向に引き上げられて上昇し、その他のエレベータカゴＡ２・・・Ａ５は連結バー２１、２２によってエレベータカゴＡ１の上下連結バー２１、２２の固定点３を軸として回転し、上下連結バー２１、２２が斜めとなるが、エレベータカゴＡ２・・・Ａ５の水平は維持される。
図１（３）に示すように、上下の連結バー２１、２２が９０度回転すると、連結エレベータカゴ１０は、各エレベータカゴＡ１・・・Ａ５が縦一列に配列された状態となる。